(57)【要約】【課題】  絵画、書、版画、写真等の美術品を密閉して保護する場合、密閉部の裏蓋を透明にすることにより、作者裏書きやサインを正確に読み取ることができる。また、密閉シートの破損を防止できる。【解決手段】保護板１と密閉シート３で密閉部Ａを形成して、内部に油絵、版画、書、写真等を入れて透明な裏蓋２で被せ、この裏蓋と密閉シートを固定して密閉し、この密閉部を額縁の枠１４に入れて固定し、壁に掛けて展示する。【選択図】      図１
2006297006.tif 000002
【特許請求の範囲】
【請求項１】
透明な保護板（１）の周囲に密閉可能なシート（３、２２、３３）を取り付けて形成した箱型または袋状の密閉部（Ａ、Ｃ、Ｄ）に油絵、版画、書、写真等を入れて、密閉シート開口部を直接密着固定または保護板と同じ大きさの透明な裏蓋（２、１６）を当てて周囲を密閉シートで密着固定し、この密閉された状態の密閉部を額縁の枠（３）に着脱自在に入れて固定またはこのまま掲示する構造の密閉式額縁。
【請求項２】
透明な裏蓋の周囲に密閉可能なシートを取り付けて形成した箱型の密閉部に油絵、版画、書、写真等を入れて、密閉シート開口部を裏蓋と同じ大きさの透明な保護板で閉じて周囲を密閉シートで密閉し、この密閉された状態の密閉部を額縁の枠に着脱自在に入れて固定またはこのまま掲示する構造の密閉式額縁。
【請求項３】
透明な保護板の周囲に一部に透明なシートまたは板（２５）取り付けた密閉シート（２４）を保護板に取り付けて箱型または袋状の密閉部を形成し、この密閉部に油絵、版画、書、写真等を納め、シート開口部を直接密着固定して密閉し、この密閉された状態の密閉部を額縁の枠に着脱自在に入れて固定し掲示する構造の密閉式額縁。
【請求項４】
前記裏蓋は少なくとも１個の脱酸素剤格納部（Ｂ）を有する構造とする請求項１または２または３記載の密閉式額縁。
【請求項５】
前記裏蓋に設けた脱酸素剤の格納部は少なくとも１個の貫通した通気孔（１１）を有する構造とする請求項１または２または３記載の密閉式額縁。
【請求項６】
前記密閉構造部には着脱自在な固定用吊り具（２０）を設ける構造とする請求項１または２記載の密閉式額縁。
【発明の詳細な説明】
【技術分野】
【０００１】  本発明は絵画、書、版画、写真等の美術品や写真、印刷物等を額縁に入れて密閉する事により、美術品や写真、印刷物等の作品を日常安全に保管すると共に移動に伴う輸送中の温度変化による結露を防ぎ、上記美術品や作品を保護するための密閉式額縁に関するものである。
【背景技術】
【０００２】  従来、絵画、書、版画等の美術品や写真、印刷物等は密閉式額縁に入れて密閉状態で保護する方法があった。しかし、密閉に際して使用する透明性の低い密閉シートを使用し、しかも、額縁の枠にスムースに入るように作品を密閉後、密閉シートを折り畳む必要があった。（例えば、特願２０００−３０２９０６、特願２００２−７１０２９、特願２００３−１０２２１１）
【発明が解決しようとする課題】
【０００３】  従来、密閉シートで形成された密閉部に絵画、写真等の美術品や写真、印刷物等を入れて密閉し、額縁の枠に入れて飾る方法の密閉式額縁が考案されてきた。しかし、この方法では密閉部は保護板と密閉シートで形成されており、この密閉シートで保護することの出来る美術品や写真等は、汚染された環境での汚れ、湿度変化による結露の発生、虫やカビの胞子の侵入による損傷、酸化による変色や劣化等から保護することができるが、一方、密閉部に入れてある作品の作者落款やサインが密閉シートの透明性の関係から十分判読することは出来なかった。また、密閉後、密閉シートを額縁の枠に入りやすくするように、折り畳む必要があり、この折り畳み部が密閉シートの破れの原因になる擦れによる劣化や裏蓋から折り畳み部への押しつけにより、不均一な力が加わり作品に傷がつくという問題点があった。
【０００４】  本発明は、絵画、写真等の美術品や写真、印刷物等を密閉部に入れて、透明な裏蓋で被せて密閉することにより、美術品や作品を安全に保護し、しかも作品背後の透明度を維持して、作者裏書きやサインをはっきり確認できるようにすると共に密閉シートの折れや擦れによる破れ等の傷を防止し、しかも作品に対する安全性を高めた密閉式額縁を提供することを目的としている。
【議題を解決するための手段】
【０００５】  上記目的を達成するために、透明な保護板の周囲に密閉可能なシートを取り付けて形成した箱型または袋状の密閉部に油絵、版画、書、写真等を入れて、密閉シート開口部を直接密着固定または保護板と同じ大きさの透明な裏蓋を当てて周囲を密閉シートで密着固定し、この密閉された状態の密閉部を額縁の枠に着脱自在に入れて固定またはこのまま掲示する構造の密閉式額縁とする。
【０００６】  透明な裏蓋の周囲に密閉可能なシートを取り付けて形成した箱型の密閉部に油絵、版画、書、写真等を入れて、密閉シート開口部を裏蓋と同じ大きさの透明な保護板で閉じて周囲を密閉シートで密閉し、この密閉された状態の密閉部を額縁の枠に着脱自在に入れて固定またはこのまま掲示する構造の密閉式額縁とする。
【０００７】  透明な保護板の周囲に一部に透明なシートまたは板取り付けた密閉シートを保護板に取り付けて箱型または袋状の密閉部を形成し、この密閉部に油絵、版画、書、写真等を納め、シート開口部を直接密着固定して密閉し、この密閉された状態の密閉部を額縁の枠に着脱自在に入れて固定し掲示する構造の密閉式額縁とする。
【０００８】  裏蓋は少なくとも１個の脱酸素剤格納部を有する構造とする。
【０００９】  裏蓋に設けた脱酸素剤格納部は少なくとも１個の通気孔を有する構造とする。
【００１０】  密閉構造部には着脱自在な固定用吊り金具を設ける構造とする。
【発明を実施するための最良の形態】
【００１１】  発明の実施の形態を実施例にもとづき図面を参照して説明する。
図１に示される実施例において、密閉式額縁の密閉部の断面構造について示す。透明な保護板１の周囲の端の部分に、薄いシートを取り付けて固定し、この固定された固定シート４に気密性の高い密閉シート３を熱圧着シール７して取り付けて、保護板１と密閉シート３で箱型の密閉部Ａを形成し、この密閉部Ａに油絵のキャンバス１２と飾り枠１３を入れたものである。そして、キャンバス１２の背後から透明な裏蓋２を被せて密閉シート３でその周囲を保護板１と同様に熱圧着シール８して密閉し、外気と遮断し、気密状態としたものである。【００１２】  裏蓋２には密閉部内部の酸素除去のための脱酸素剤１０を入れる格納部Ｂが裏蓋２の密閉部外側に密閉シート９で袋状に設けてある。この脱酸素剤１０の格納部Ｂは密閉部Ａを額縁の枠１４に嵌めて固定する場合、固定金具１５が邪魔にならない位置取り付けてあり、通常裏蓋２の下部に少なくとも１個設けるものとする。構造は酸素を吸着除去するために、裏蓋２に複数の通気孔１１を設け、この部分を密閉シート９で密閉したものである。【００１３】  図２に脱酸素剤の格納部の詳細断面図を示す。格納部Ｂは裏蓋２に密閉シート９を取り付けて袋状にしたものであり、裏蓋２には通常複数個の通気孔１１が貫通して設けてある。孔の径は３ｍｍから１０ｍｍとし、一定の間隔で設けてある。格納部Ｂは４片の内３片が裏蓋２に密着固定してある。通常熱圧着シールして固定してあり、脱酸素剤１０を入れた後で残りの一片を密閉する。尚、脱酸素剤１０の量は空間容量で決定されるため、空間容量の大きな場合は、脱酸素剤１０を増加するため格納部Ｂの大きさを大きくしたり、格納部Ｂを裏蓋２の上下に設けるものとする。【００１４】  図３に同じ形状の密閉部に版画を入れた場合の断面構造に付いて示す。保護板１に密閉シート３を取り付けて箱型の密閉部Ａを形成し、保護板１を下にした密閉部Ａに予めマット１８に固定された版画１７を入れ、順次、ボード１９、調湿紙２０を入れ、最後に裏蓋１６を乗せて、密閉シート３で裏蓋２の周囲を熱圧着シール８した状態である。この状態で密閉部Ａの内部は外気と遮断されており、気密された状態になっている。この状態の密閉部Ａを額縁の枠に入れ掲示するかこのまま吊り具２１を取り付けて、紐で吊して壁に固定しても好い。尚、図４に額装に関する分解図を示す。【００１５】  図５において保護板と裏蓋を密閉シートで結合して、袋状の密閉部を形成した場合の断面形状に付いて示す。保護板１と同じ大きさの裏蓋２を一定の間隔を開けた状態で密閉シート２２に取り付け、保護板１と裏蓋２の間の密閉シート２２の部分で折り返し、保護板１と裏蓋２に付いている密閉シート２２の両端をそれぞれ密着固定することにより、袋状の密閉部Ｃが形成できる。この密閉部Ｃに油絵のキャンバス１２を入れるようにしたものである。【００１６】  密着する両端のシートは作品の出し入れに際して、十分開口部が開くようにシートの長さを余分に取った状態としてある。通常シートの取り代は保護板の長編の半分程度とする。また、作品を出し入れするための開口部については特に決まりは無いが、単辺の幅と同じぐらい余裕代を見ておけば好く。余裕代を多く取っておけば繰り返し使用できる回数が多��なるが、折り畳んだ場合のだぶつきが多くなりスムースに額縁の枠に入らなくなる。【００１７】  尚、この構造の密閉部Ｃに油絵のキャンバス１２を入れる場合は予め、保護板１と裏蓋２の密閉シート２１取り付け間隔をキャンバス１２の厚さに合わせて幅を厚く取っておくものとする。また、この密閉部Ｃに油絵のキャンバス１２を入れて開口部を熱圧着シールしたシール部２３て密閉した状態で密閉シート２２のはみ出し部は額縁の枠に入るように折り曲げて額縁に入れ掲示するものである。【００１８】  図６に密閉シートの一部に透明な板またはシートを取り付けた密閉部の額縁の断面構造について示す。予め作品の裏側にある裏書きやサインの位置と大きさを確認しておき、その部分を透明な板２５に換えたものである。この状態の密閉シート２４を保護板１に取り付けて箱型の密閉部Ａを形成し、この密閉部Ａにマット１８、日本画２６、ボード２７、調湿紙２８を入れて、密閉シート開口部の上部を熱圧着シール２９して密閉した状態である。密閉シート２４は、はみ出た部分を折り畳み、額縁の枠に入れた状態である。この状態で所定の場所に掲示すれば好い。【００１９】  図７に保護板の一方の面にだけ固定シートを付けて密閉部を形成した密閉式額縁の断面形状に付いて示す。保護板１の周囲の片側にだけ密閉シート３３を取り付けて固定し、この固定シート３０に密閉シート３３を熱圧着シール３２して取り付けて固定した。密閉シート３３は保護板１を底辺として箱型の形状をしており、この箱型の密閉部Ｄに油絵のキャンバス１２を入れたものである。キャンバス１２の裏側から透明な裏蓋２を乗せて、その周囲をシールテープ３４で密閉シールした状態である。尚、キャンバス１２と保護板１の間には直接保護板に絵か接触しないように枕材３５が入れてある。【００２０】  保護板１の片側はなにもない状態であり、見た目が綺麗にできるため、このまま所定の場所に掲示することができる。尚、この場合、脱酸素剤は密閉シートの外側または内側に格納部を作るものとする。格納部をシートの内側に作る場合は密閉シートに脱酸素剤が入る袋を取り付ければ好く、この場合キャンバスの間に格納部を設ければ好い。外側に作る場合は密閉シートに複数個の孔を明けて、この部分に密閉シートを取り付ける構造とする。【００２１】  図８に接合部の詳細図を示す。密閉部の接合部はガラス板、アクリル板、ポリカーボネイト板等の保護板１に薄い密閉シート３を取り付けたものであり、取り付け部の構造は保護板１及び裏蓋２の端の部分に接着剤６を塗布し、この接着剤に熱圧着可能なシートを貼り付けて固定し、この熱圧着可能な固定シート４、５に密閉シート３を熱圧着シールして接合したものである。シール部７、８の幅は外枠に密閉部Ａを入れた場合、外部からしーる部が見えない程度の幅とし、額縁の大きさにもよるが通常３ｍｍから２０ｍｍぐらいである。【００２２】  本発明は以上の構成よりなっており、本発明の使用に際しては以下のように実施する。図１に示す実施例の場合、透明な保護板の端の部分の周囲に密閉シート取り付けて形成された箱型の密閉部を保護板を下にして置き、内部に汚れの無いように清掃してから、飾り枠を入れ続いて油絵の描かれたキャンバスを下��きの状態で飾り枠に嵌める。【００２３】  次に端の部分の周囲に固定シートを取り付けた裏蓋を被せ、密閉シートを裏蓋の周囲に順次熱圧着して取り付けていく。次に、脱酸素剤の格納部の開口部から脱酸素剤を所定の量入れて前記開口部を熱圧着シールして密閉する。この状態の密閉部を額縁の枠に入れて固定金具で固定してから所定の位置に掲示する。【００２４】  図３において示される実施例は、図１と同様な密閉部に版画を入れた場合である。保護板は周囲に密閉シートを取り付けた箱型の形状であり、この保護板を底として置いた状態で密閉部内部にゴミ等が無いことを確認する。次に、予め、マットに版画を固定しておいたものを密閉シートの上部開口部から版画の絵を下向きにした状態で水平のまま入れる。この上にボード、調湿紙を入れ、裏蓋を乗せて傾きの無いようにバランスを好くしてから周囲を熱圧着シールする。この状態で額縁の枠に入れるかこのまま所定の場所に掲示する。【００２５】  図５に於いて示される実施例では、予め密閉部に入れる作品の厚さを測定しておき、この幅に会うように保護板と裏蓋を密閉シートに取り付けておき、シート部で折り曲げて、両端のシートを閉じれば袋状の密閉部が形成されている。この密閉部に対しては、保護板を上面とし、保護板と裏蓋の間に油絵のキャンバスを差し込み開口部をシーラーで熱圧着シールするものとする。シールが終了後、密閉シートの保護板と裏蓋からはみ出た部分を折り畳み額縁の枠に入れて掲示すれば好い。この場合、作品を上向きにして額装できるため、作品に対して安全である。【００２６】  図６に於いて示される実施例において、日本画を入れる場合に付いて示す。予め、作品の作者の後書きやサインのある場所の位置及び大きさを調べておき、この部分を透明な板、例えばアクリル板にした密閉シートを保護板に取り付けて、密閉部を形成しておく、次に、保護板を下向きにした状態の密閉部に順次、日本画、マット、ボード、調湿紙を入れて最後に裏蓋を被せ裏蓋と密閉シートを密閉する、この密閉部を額縁の枠に入れて掲示すれば好い。尚、裏書きやサインを見易くするために、ボード及び調湿紙は予めその部分を一定の大きさで切り抜いておくものとする。【００２７】  図７において示される実施例は、保護板の片面の周囲に固定シートを付けて、このシートに密閉シートを取り付けて固定して密閉部を形成しものであり、作品の額装に当たっては他の例と同様である。すなわち、保護板の面に油絵のキャンバスを直接入れた場合であり、保護板の端の部分にはキャンバスと保護板が直接接触しないように保護板の周囲に枕材が取り付けてある。そして、このキャンバスの上に裏蓋を乗せて周囲を密封したものである。この状態で直接所定の場所に掲示するものとする。【００２８】  尚、本発明の額縁は保護板に密閉シートを取り付けて箱型の密閉部を形成し、この密閉部に作品を入れて裏蓋を被せ、密閉シートと裏蓋を密着固定する構造であるが、これとは逆に裏蓋と密閉シートで箱型の密閉部を形成しておき調湿紙、ボード、作品、マットと入れた後で保護板を乗せて、密閉シートと保護板を熱圧着シールしても好い。この場合、作品を見たまま密閉作業ができるため安全でミスの無い作業ができる。また、��護板及び裏蓋にそれぞれ密閉シート取り付けた密閉部を作り、作品を入れた後で保護板と裏蓋で形成された密閉部の密閉シートを重ねて、この部分を熱圧着またはシールテープで固定しても好い。【００２９】  もちろん、密閉部内部の空気を排気したり、絵画の状態に応じて内部に必要な成分を含んだガスをいれる場合は密閉シートにノズルを取り付けて、このノズルから内部のガスを出し入れすれば好い。また、前述した脱酸素剤や調湿剤については一緒に入れてある脱酸素剤のインジケーターや調湿剤の状態を観て必要な時点で熱圧着部を開いて交換するようにすれば好い。尚、密閉期間が短い場合、例えば気候の異なる地域への輸送等に関しては、裏蓋と密閉シートの取り付けは、シールテープのようなテープ類を使用しても好く、この場合密閉部は繰り返し利用することができる。【００３０】  尚、本発明の密閉式額縁の密閉部は保護板と密閉シート及び裏蓋で形成されている。保護板及び裏蓋はガラス板、アクリル板、ポリカーボネイト板または特殊加工された紫外線カット及び低反射板等であり、密閉構造部の包囲体を形成する密閉シートはポリエチレン、ポリプロピレンまたはそれらの複合シート、ナイロンポリエチレンまたは特殊加工されたシート等の材料を使用して作られている。また、金属の薄いシートを利用しても好い。【００３１】  また、外枠は木製、金属製またはプラスチック製で側面または裏蓋に吊り金具が設けてある。この吊り金具に金属製のワイヤーまたは布製の紐を取り付けるように成っている。尚、本額縁の場合、保護板と裏蓋を会わせて密閉シートで固定する形式であるため、形状的に見ても簡単であり、このまま背後の裏蓋に吊り金具を取り付けて、掲示しても好い。【００３２】  また、本発明の密閉部は、保護板の端の部分に接着剤を塗布して、固定シートを取り付け、この後で、密閉シートをこの固定シートに熱圧着接合する構造である。もちろん、保護板と固定シートの接合に接着剤の代わりに、粘着剤を塗布した両面テープを使用しても好く、また、直接密閉シートを保護板に取り付ける構造でも好い。尚、熱圧着シールは熱圧着機を利用すればよく、熱圧着可能な温度を発生するものであればアイロン等を使用してもよく、特に設備を限定するものではない。
【発明の効果】
【００３３】  本発明は、以上説明したように構成されているので、以下に記載されるような効果を奏する。
【００３４】  絵画、版画、書、写真等を密閉部に入れ、背後から透明な裏蓋で密閉出来るため、従来の密閉シートで密閉する方法に比べて全体として簡潔にしかも綺麗にでき、そのまま掲示することも可能になり、額縁の枠に掛かる費用が節約できる。
【００３５】  特に、作品の裏側が透明にできるため、作品の作者裏書きやサインが十分確認できるため、判読や鑑定に問題を生じない。
【００３６】  また、額の枠から出した場合、裏側が何もない状態のため、かさ張ることがなく、収蔵スペースを少なくできる。また、額縁の枠の木材で作られた裏蓋が省略できる。
【００３７】  更に、作品を入れて密閉した後で裏蓋でシールするために、密閉シートのようなはみ出し部を折る必要がなく、シートの折り畳み部や皺等による不均一な押しつけ力による作品へのダメージが無くなる。
【００３８】  更に、密閉シートの折り畳み部が無くなるため、折り畳み部の経年による擦れや傷による密閉シートの損傷が無くなり、長期間安定して密閉部の気密を維持できる。
【図面の簡単な説明】
【図１】  密閉式額縁に油絵を入れた状態の断面構造図ある。
【図２】  密閉式額縁の脱酸素剤格納部の断面詳細図である。
【図３】  密閉式額縁に版画を入れた状態の断面構造図ある。
【図４】  密閉式額縁に版画を入れる場合の額装の分解図である。
【図５】  密閉構造部に油絵を入れる場合の他の断面図である。
【図６】  保護板と密閉シートの取り付け部の詳細図である。
【図７】  密閉式額縁の他の実施例の断面構造図である。
【図８】  密閉式額縁の他の実施例の断面構造図である。
【符号の説明】
１    保護板
２、１６  裏蓋
３、９、２２、２４、３３  密閉シート
４、５、３０  固定シート
６、３１  接着剤
７、８、２３、２９、３２  熱圧着シール
１０  脱酸素材
１１  通気孔
１２  キャンバス
１３  飾り枠
１４  額縁の枠
１５  固定金具
１７  版画
１８  マット
１９  ボード
２０、２８  調湿紙
２１  固定用吊り具
２５  透明板
２６  日本画
２７  ボード
３４  シールテープ
３５  枕材
Ａ、Ｃ、Ｄ  密閉部
Ｂ  脱酸素剤格納部
【図１】
2006297006.tif 000003
【図２】
2006297006.tif 000004
【図３】
2006297006.tif 000005
【図４】
2006297006.tif 000006
【図５】
2006297006.tif 000007
【図６】
2006297006.tif 000008
【図７】
2006297006.tif 000009
【図８】
2006297006.tif 000010